Podtech/llm-jp-corpus-v4-ja_patent huggingface dataset:
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
１つ以上のコンピュータ・プログラム・モジュールを実行するよう設定された１つ以上のプロセッサを含むコンピュータシステム内で実行される、印刷システムにより実行される印刷ジョブに関するマーキング材料の使用推定量を判定する方法であって、
印刷ジョブの画像のウェーブレット圧縮データを受信するステップであって、前記画像には画像画素強度値をそれぞれ有する複数の画像画素が含まれ、前記画像画素は前記ウェーブレット圧縮データにウェーブレット圧縮方式を用いて変換される、ステップと、
前記画像内の前記画像画素の平均画素強度値を算出するために前記ウェーブレット圧縮データを部分的に展開することにより、前記ウェーブレット圧縮データについてのマーキング材料の使用量の統計値を算出するステップと、
前記算出されたマーキング材料の使用量の統計値を用いて、前記印刷ジョブに関する前記マーキング材料の使用推定量を判定するステップと、を含み、
前記ウェーブレット圧縮データは、重複する複数の平面からなる配列を含み、前記平面の各々がより高い周波数を表し、
前記重複する複数の平面からなる配列は、最も低い空間周波数の平面及び残りの空間周波数の平面を含み、前記最も低い空間周波数の平面は、前記重複する複数の平面からなる配列の前記残りの空間周波数の平面の平均を表し、
前記ウェーブレット圧縮データについてのマーキング材料の使用量の統計値を算出するステップは、前記最も低い空間周波数の平面内の画素強度値の合計を算出するために前記ウェーブレット圧縮データを部分的に展開することを含む、
方法。
【請求項２】
前記ウェーブレット圧縮データは、前記ウェーブレット圧縮方式に従って、前記画像の対応する画像画素の前記画像画素強度値に一致する強度値をそれぞれ有する複数の画素を表す、請求項１に記載の方法。
【請求項３】
前記ウェーブレット圧縮データは、前記画素の前記画素強度値を完全なページのビットマップに書き込むことなく展開される、請求項１に記載の方法。
【請求項４】
前記ウェーブレット圧縮データを部分的に展開することは、前記画像内の前記画像画素の前記平均画素強度値を抽出できる程度まで前記ウェーブレット圧縮データを展開することを含む、請求項１に記載の方法。
【請求項５】
前記ウェーブレット圧縮データを部分的に展開することは、前記画像内の前記画像画素の前記平均画素強度値を抽出できる程度まで前記ウェーブレット圧縮データの展開命令を実行することを含む、請求項１に記載の方法。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
コンピュータプログラムとのユーザの対話のビデオ記録を作成するステップと、
巻き戻しユーザコマンドと進行ユーザコマンドとを受信するように構成された制御領域を表示するステップと、
前記巻き戻しユーザコマンドの受信に応答して、当該記録されたユーザの対話のうちの少なくとも１つより前の前記コンピュータプログラムの第１の状態に逆戻りするステップと、
前記進行ユーザコマンドの受信に応答して、前記コンピュータプログラムの前記第１の状態と最後の既知の状態との間にある前記コンピュータプログラムの第２の状態へ進むステップとを含むことを特徴とするコンピュータにより実施される方法。
【請求項２】
ビデオ記録を作成するステップは、前記ビデオ記録をメモリ領域内に格納するステップを含むことを特徴とする請求項１に記載のコンピュータにより実施される方法。
【請求項３】
前記記録されたユーザの対話のうちの少なくとも一部の前記ビデオ記録内のそれぞれの位置を前記制御領域の中に示すステップをさらに含むことを特徴とする請求項１に記載のコンピュータにより実施される方法。
【請求項４】
ビデオ記録を作成するステップは、前記コンピュータプログラムとの前記ユーザの対話をメモリ領域内に記録するステップを含み、各々のユーザの対話は、アクション識別子とタイムスタンプとを含むことを特徴とする請求項１に記載のコンピュータにより実施される方法。
【請求項５】
前記コンピュータプログラムの第１の状態に逆戻りするステップは、
選択されたユーザの対話のタイムスタンプと関連する時間に前記ビデオ記録を設定するステップと、
前記選択されたユーザの対話の前記タイムスタンプより前の、または等しい時間の前記コンピュータプログラムの状態に逆戻りするステップとを含むことを特徴とする請求項４に記載のコンピュータにより実施される方法。
【請求項６】
前記コンピュータプログラムの第２の状態へ進むステップは、
選択されたユーザの対話のタイムスタンプと関連する時間に前記ビデオ記録を設定するステップと、
前記選択されたユーザの対話の前記タイムスタンプに等しい、または後の時間の前記コンピュータプログラムの状態に進むステップとを含むことを特徴とする請求項４に記載のコンピュータにより実施される方法。
【請求項７】
表示装置と、
入力装置と、
コンピュータプログラムとのユーザの対話のビデオ記録を格納するように構成されたメモリ領域と、
前記表示装置、前記入力装置、および前記メモリ領域に連結されたプロセッサとを含むコンピュータであって、前記プロセッサは、
前記表示装置に制御領域を表示させ、
前記入力装置を介した巻き戻しユーザコマンドの受信に応答して、前記表示装置を、前記格納されたユーザの対話の少なくとも１つより前の前記コンピュータプログラムの第１の状態へ逆戻りさせ、
前記入力装置を介した進行ユーザコマンドの受信に応答して、前記表示装置を、前記コンピュータプログラムの前記第１の状態と最後の既知の状態との間にある前記コンピュータプログラムの第２の状態へ進ませるように構成されることを特徴とするコンピュータ。
【請求項８】
前記プロセッサが、前記格納されたユーザの対話の少なくとも一部のビデオ記録内のそれぞれの位置の前記制御領域の中のインジケータを前記表示装置に表示させるようにさらに構成されることを特徴とする請求項７に記載のコンピュータ。
【請求項９】
前記巻き戻しユーザコマンドの受信に応答して、前記プロセッサは、前記表示装置に、前記第１の状態の後に生じる前記格納されたユーザの対話のうちの少なくとも１つのインジケータを削除させるようにさらに構成されることを特徴とする請求項８に記載のコンピュータ。
【請求項１０】
前記メモリ領域は、前記コンピュータプログラムとの前記ユーザの対話を格納するようにさらに構成され、各々のユーザの対話は、アクション識別子とタイムスタンプとを含むことを特徴とする請求項７に記載のコンピュータ。
【請求項１１】
前記巻き戻しユーザコマンドの受信に応答して、前記プロセッサは、
選択されたユーザの対話のタイムスタンプと関連する時間に前記ビデオ記録を設定し、
前記選択されたユーザの対話の前記タイムスタンプより前の、または等しい時間の前記コンピュータプログラムの状態へ前記表示装置を逆戻りさせるようにさらに構成されることを特徴とする請求項１０に記載のコンピュータ。
【請求項１２】
前記進行ユーザコマンドの受信に応答して、前記プロセッサは、
選択されたユーザの対話のタイムスタンプと関連する時間に前記ビデオ記録を設定し、
前記選択されたユーザの対話の前記タイムスタンプに等しい、または後の時間の前記コンピュータプログラムの状態へ前記表示装置を進ませるようにさらに構成されることを特徴とする請求項１０に記載のコンピュータ。
【請求項１３】
前記入力装置が、ボタンの選択、位置インジケータのドラッグ動作、およびメニュー選択のうちの少なくとも１つを介して前記巻き戻しユーザコマンドおよび前記進行ユーザコマンドを受信するように構成されることを特徴とする請求項７に記載のコンピュータ。
【請求項１４】
請求項１から６のいずれかに記載の方法をコンピュータに実行させるコンピュータプログラム。
【請求項１５】
請求項１から６のいずれかに記載の方法をコンピュータに実行させるコンピュータプログラムを記録したコンピュータ可読記録媒体。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
内部に水を溜める外槽と、
前記外槽内に回転自在に支持され、衣類が収容されるドラムと、
前記ドラムを回転駆動するドラムモータと、
前記外槽内に給水する給水手段と、
前記外槽から水を吸い込み、前記ドラム内に向かって散水するように水を循環させる循環ポンプと、
を備え、
前記循環ポンプは、前記ドラム内への散水時に前記外槽から前記ドラム内に向かって水を送出するように回転する羽根車を備え、
前記羽根車は、回転軸の周りに複数並んで放射状に配置される板体で形成される羽根を有し、
前記羽根のそれぞれは、前記回転軸側から放射方向に向けて湾曲し、
この湾曲面は、前記羽根車の回転方向に凸となっていることを特徴とするドラム式洗濯機。
【請求項２】
請求項１に記載のドラム式洗濯機において、
前記循環ポンプの前記羽根車は、２３００ｒｐｍ以上、４２００ｒｐｍ以下の回転速度で駆動することを特徴とするドラム式洗濯機。
【請求項３】
請求項１に記載のドラム式洗濯機において、
散水時の前記循環ポンプは、水の循環流量が３５Ｌ／ｍｉｎ以上、６８Ｌ／ｍｉｎ以下であることを特徴とするドラム式洗濯機。
【請求項４】
請求項１に記載のドラム式洗濯機において、
前記羽根車は、円盤状のベース板と、このベース板の中心に設けられ、回転中心となる棒状の羽根ボスと、この羽根ボスを中心に等間隔に設けられる複数の前記羽根と、
を有し、
前記羽根は、前記ベース板上に立設され、前記ベース板からの最大高さが前記羽根ボスの高さに等しい大羽根と、前記ベース板からの最大高さが前記羽根ボスの高さよりも低い小羽根と、
で構成され、
前記大羽根は、その高さが最も高い前記羽根ボス側から前記ベース板の外側に向けて徐々に低くなっていることを特徴とするドラム式洗濯機。
【手続補正２】
【補正対象書類名】明細書
【補正対象項目名】０００８
【補正方法】変更
【補正の内容】
【０００８】
このような課題を解決する本発明のドラム式洗濯機は、内部に水を溜める外槽と、前記外槽内に回転自在に支持され、衣類が収容されるドラムと、前記ドラムを回転駆動するドラムモータと、前記外槽内に給水する給水手段と、前記外槽から水を吸い込み、前記ドラム内に向かって散水するように水を循環させる循環ポンプと、を備え、前記循環ポンプは、前記ドラム内への散水時に前記外槽から前記ドラム内に向かって水を送出するように回転する羽根車を備え、前記羽根車は、回転軸の周りに複数並んで放射状に配置される板体で形成される羽根を有し、前記羽根のそれぞれは、前記回転軸側から放射方向に向けて湾曲し、この湾曲面は、前記羽根車の回転方向に凸となっていることを特徴とする。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
複数の選択肢から少なくとも１つの選択肢を選択するために、選択肢がそれぞれ対応付けられた複数のポケットが設けられ、遊技体がいずれかのポケットに進入することで選択肢が選択される抽選機構と、前記抽選機構に遊技体を投入する投入機構と、を備えたゲーム機であって、
１回の抽選単位で所定数の遊技体を前記抽選機構に投入するように前記投入機構を制御する投入制御手段を備え、
前記投入制御手段には、所定の終了条件が成立しない限り、前記抽選単位での抽選を繰り返し、遊技体の投入を継続するように前記投入機構を制御する投入継続制御手段が設けられ、
前記複数のポケットには、抽選を終了させる選択肢に対応付けられたポケットである終了ポケットが含まれ、
前記所定の終了条件として、前記終了ポケットに遊技体が進入することが設定されるゲーム機。
【請求項２】
前記複数のポケットには、前記所定の終了条件の成立を無効にする選択肢に対応付けられたポケットである無効ポケットが含まれ、
前記投入継続制御手段は、前記無効ポケットに遊技体が進入すると、次回の抽選単位での抽選で前記所定の終了条件の成立を無効にする請求項１に記載のゲーム機。
【請求項３】
前記抽選機構の抽選結果に基づいて進行するゲームを実行するゲーム実行手段を備え、
前記ゲーム実行手段は、所定のゲーム条件が成立すると進行中のゲームのステージを終了させ、前記抽選の継続中に新規のステージを実行する請求項１又は２に記載のゲーム機。
【請求項４】
前記ゲーム実行手段は、前記抽選結果に応じて、次回に実行すべき新規のステージの初期設定を変更する請求項３に記載のゲーム機。
【請求項５】
前記複数の選択肢には、複数種類の属性が付与され、前記所定の終了条件が成立すると、少なくとも一部の属性毎に集計された選択回数に応じた配当を付与する配当付与手段を備えた請求項１〜４のいずれか一項に記載のゲーム機。
【請求項６】
前記抽選機構には、
前記複数のポケットの一部が周方向に沿って並べられて軸線を中心に回転駆動される第１抽選部と、
前記第１抽選部の周囲を取り囲むように、残りのポケットと、遊技体を前記第１抽選部に案内する１以上の案内通路と、が並べられて前記第１抽選部と一体的に回転駆動される第２抽選部と、
前記第１抽選部と前記第２抽選部との間に位置し、前記軸線を中心に前記第１抽選部及び前記第２抽選部と逆方向に回転駆動される回転部と、
が設けられている請求項１〜５のいずれか一項に記載のゲーム機。
【請求項７】
複数の選択肢から少なくとも１つの選択肢を選択するために、選択肢がそれぞれ対応付けられた複数のポケットが設けられ、遊技体がいずれかのポケットに進入することで選択肢が選択される抽選機構と、前記抽選機構に遊技体を投入する投入機構と、を備え、記複数のポケットには、抽選を終了させる選択肢に対応付けられたポケットである終了ポケットが含まれたゲーム機のコンピュータに、
１回の抽選単位で所定数の遊技体を前記抽選機構に投入するように前記投入機構を制御する投入制御手順を実行させ、
前記投入制御手順では、所定の終了条件が成立しない限り、前記抽選単位での抽選を繰り返し、遊技体の投入を継続するように前記投入機構を制御する投入継続制御手順を前記コンピュータに実行させ、
前記投入継続制御手順では、前記所定の終了条件として、前記終了ポケットに遊技体が進入することが設定されるゲーム制御方法。
【請求項８】
複数の選択肢から少なくとも１つの選択肢を選択するために、選択肢がそれぞれ対応付けられた複数のポケットが設けられ、遊技体がいずれかのポケットに進入することで選択肢が選択される抽選機構と、前記抽選機構に遊技体を投入する投入機構と、を備え、記複数のポケットには、抽選を終了させる選択肢に対応付けられたポケットである終了ポケットが含まれたゲーム機のコンピュータを、
１回の抽選単位で所定数の遊技体を前記抽選機構に投入するように前記投入機構を制御する投入制御手段、として機能させるように構成され、
前記投入制御手段を、所定の終了条件が成立しない限り、前記抽選単位での抽選を繰り返し、遊技体の投入を継続するように前記投入機構を制御する投入継続制御手段、としてさらに機能させ、
前記所定の終了条件として、前記終了ポケットに遊技体が進入することが設定されるように構成されたコンピュータプログラム。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線発生部と、前記Ｘ線発生部に電力供給を行なう高電圧発生部と、前記被検体を透過したＸ線を検出するＸ線検出部と、前記Ｘ線検出部から出力されたＸ線信号に対して画像処理を行なう画像処理部と、前記画像処理部から出力されたＸ線画像を表示する表示部と、前記Ｘ線発生部から照射するＸ線条件を設定するX線条件設定部と、前記X線条件設定部により設定されたＸ線条件に基づいて前記Ｘ線発生部から照射するＸ線の制御を行なう制御部と、を備え、
前記Ｘ線発生部は、陰極と、該陰極に対向配置され該対向する向きを軸として回転する回転陽極と、を有し、前記高電圧発生部は、前記回転陽極を回転させるためのスタータ回路と、該スタータ回路が正常に動作しているかを判定する判定回路と、を有し、前記判定回路により前記スタータ回路に異常があると判定した場合、前記制御部は前記X線条件設定部により設定できるＸ線条件に対し制限を設けることを特徴とするＸ線透視撮影装置。
【請求項２】
前記Ｘ線条件とは、透視又は撮影により前記Ｘ線画像の取得するための条件であり、前記透視又は前記撮影における前記Ｘ線発生部に供給する管電圧又は管電流の少なくとも一方であることを特徴とする請求項１に記載のＸ線透視撮影装置。
【請求項３】
前記制御部は、前記判定回路により前記スタータ回路に異常があると判定された場合、前記管電圧又は前記管電流の少なくとも一方の上限値を制限することを特徴とする請求項２に記載のＸ線透視撮影装置。
【請求項４】
前記制御部は、前記判定回路により前記スタータ回路に異常があると判定された場合であって、前記回転陽極の回転数が所定の値に到達している場合、前記異常が判断された時から、予め定めた所定の時間内に撮影を行うことを特徴とする請求項１乃至３の少なくとも何れか一項に記載のＸ線透視撮影装置。
【請求項５】
操作者により操作される前記回転陽極の回転開始と、撮影のタイミングと、を制御する撮影スイッチを有し、前記撮影スイッチにより前記回転陽極の回転が開始され、該回転陽極の回転数が予め定めた所定の値に到達している場合であって、
前記判定回路が前記スタータ回路に異常があると判定した場合、前記制御部は、前記異常が判断された時から予め定めた所定の時間内でのみ前記撮影スイッチによる撮影を行うことを特徴とする請求項１乃至３の少なくとも何れか一項に記載のＸ線透視撮影装置。
【請求項６】
前記制御部は、前記判定回路により前記スタータ回路に異常があると判定された場合に、前記撮影スイッチによる撮影を行うことが可能な時間を操作者に通知することを特徴とする請求項５に記載のＸ線透視撮影装置。
【手続補正２】
【補正対象書類名】明細書
【補正対象項目名】０００５
【補正方法】変更
【補正の内容】
【０００５】
X線高電圧発生装置から発生するノイズは、陽極駆動回路の動作を一時的に停止することにより低減することができる。引用文献1では、所定の条件下で自ら陽極駆動回路の動作を停止させることについて記載しているが、陽極駆動回路に不具合が発生した場合については特に配慮されていない。特に緊急を要する場合、陽極駆動回路の不具合により装置全体の動作を停止してしまうことは不都合となる。
【手続補正３】
【補正対象書類名】明細書
【補正対象項目名】００１６
【補正方法】変更
【補正の内容】
【００１６】
表示部110は、画像処理部108から出力されたX線画像データを被検体102のX線画像として表示する。
【手続補正４】
【補正対象書類名】明細書
【補正対象項目名】００２３
【補正方法】変更
【補正の内容】
【００２３】
図6は、X線管211の内部構成の一部を図示したものである。回転陽極213は陰極215と対向する向きを軸601として回転する構造となっており、円盤部602と、これを支持する支持部603と、を有している。支持部603は固定子コイル214によって回転動作が行われ、これに伴い円盤部602が軸601を回転軸とし回転する。
【手続補正５】
【補正対象書類名】明細書
【補正対象項目名】００３４
【補正方法】変更
【補正の内容】
【００３４】
判定回路209は計測した電流値が所定の範囲内にあるか否によりスタータ回路208が正常に動作しているかを判定する。判定回路209によってスタータ回路208が正常な動作を行なっていないと判定した場合、制御部111は、インバータ回路203等を用いてX線発生部104への電力供給、フィラメント回路207によるフィラメント212の加熱、及び、スタータ回路208による回転陽極213の回転、の停止を行ない、表示部110を用いて操作者にスタータ回路208の動作が異常であることを通知すると供に、X線条件設定部で設定できるX線条件の上限値を、回転陽極213が回転しなくても電子ビームでの発熱が装置構成上許容な範囲内となる値まで低減させる。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
対象物に対して超音波ビームを送信し、前記対象物からの超音波エコーを受信する超音波トランスデューサーデバイスであって、
第１の方向に沿って配置される第１の超音波トランスデューサー素子〜第ｎ（ｎは２以上の整数）の超音波トランスデューサー素子を含み、
前記第１の超音波トランスデューサー素子〜前記第ｎの超音波トランスデューサー素子の各超音波トランスデューサー素子の前記第１の方向における最大長をＷＸとし、前記第１の方向に直交する第２の方向における最大長をＷＹとし、
第ｋ（ｋは１≦ｋ≦ｎ−１である整数）の超音波トランスデューサー素子と第ｋ＋１の超音波トランスデューサー素子との前記第１の方向における配置ピッチをＰＸとし、前記第２の方向における配置ピッチをＰＹとした場合に、
０．５×ＷＸ≦ＰＸ＜０．７５×ＷＸ、且つ、ＰＹ＜ＷＹであることを特徴とする超音波トランスデューサーデバイス。
【請求項２】
請求項１に記載の超音波トランスデューサーデバイスにおいて、
前記第ｋ＋１の超音波トランスデューサー素子は、前記第ｋの超音波トランスデューサー素子に対して、前記第１の方向に前記配置ピッチＰＸ、前記第２の方向に前記配置ピッチＰＹだけ変位した位置に配置され、
第ｋ＋２の超音波トランスデューサー素子は、前記第ｋ＋１の超音波トランスデューサー素子に対して、前記第１の方向に前記配置ピッチＰＸ、前記第２の方向の反対方向に前記配置ピッチＰＹだけ変位した位置に配置されることを特徴とする超音波トランスデューサーデバイス。
【請求項３】
請求項２に記載の超音波トランスデューサーデバイスにおいて、
前記第ｋ＋１の超音波トランスデューサー素子は、平面視において、前記第ｋの超音波トランスデューサー素子を所定の角度だけ回転させた形状を有することを特徴とする超音波トランスデューサーデバイス。
【請求項４】
請求項２又は３において、
前記第１の超音波トランスデューサー素子〜前記第ｎの超音波トランスデューサー素子の各超音波トランスデューサー素子は、平面視において、矩形の形状を有することを特徴とする超音波トランスデューサーデバイス。
【請求項５】
請求項４に記載の超音波トランスデューサーデバイスにおいて、
前記第１の超音波トランスデューサー素子〜前記第ｎの超音波トランスデューサー素子の各超音波トランスデューサー素子は、平面視において、正方形の形状を有し、
前記各超音波トランスデューサー素子の前記正方形の１つの対角線が前記第１の方向に沿うように、前記各超音波トランスデューサー素子が配置され、
前記各超音波トランスデューサー素子の前記正方形の対角線の長さをＬＡとした場合に、
前記配置ピッチＰＸは、ＰＸ＝０．５×ＷＸ＝０．５×ＬＡであり、前記配置ピッチＰＹは、ＰＹ＝０．５×ＷＹ＝０．５×ＬＡであることを特徴とする超音波トランスデューサーデバイス。
【請求項６】
請求項２に記載の超音波トランスデューサーデバイスにおいて、
前記第１の超音波トランスデューサー素子〜前記第ｎの超音波トランスデューサー素子の各超音波トランスデューサー素子は、平面視において、円形の形状を有することを特徴とする超音波トランスデューサーデバイス。
【請求項７】
請求項６において、
前記各超音波トランスデューサー素子の半径の長さをＲＡとした場合に、
前記配置ピッチＰＸは、ＰＸ＝０．５×ＷＸ＝ＲＡであり、
前記配置ピッチＰＹは、ＰＹ＝ＷＹ×ｓｉｎ６０°＝２×ＲＡ×ｓｉｎ６０°であることを特徴とする超音波トランスデューサーデバイス。
【請求項８】
請求項２又は３に記載の超音波トランスデューサーデバイスにおいて、
前記第１の超音波トランスデューサー素子〜前記第ｎの超音波トランスデューサー素子の各超音波トランスデューサー素子は、平面視において、三角形の形状を有することを特徴とする超音波トランスデューサーデバイス。
【請求項９】
請求項１乃至８のいずれかに記載の超音波トランスデューサーデバイスにおいて、
前記第１の超音波トランスデューサー素子〜前記第ｎの超音波トランスデューサー素子の各超音波トランスデューサー素子は、単一の振動膜を有する薄膜圧電型超音波トランスデューサー素子であることを特徴とする超音波トランスデューサーデバイス。
【請求項１０】
請求項９に記載の超音波トランスデューサーデバイスにおいて、
複数の開口が配置された基板を含み、
前記第１の超音波トランスデューサー素子〜前記第ｎの超音波トランスデューサー素子の各超音波トランスデューサー素子は、前記複数の開口の各開口ごとに設けられ、
前記第１の超音波トランスデューサー素子〜前記第ｎの超音波トランスデューサー素子の各超音波トランスデューサー素子は、
前記開口を塞ぐ前記単一の振動膜と、
前記単一の振動膜の上に設けられる圧電素子部とを有し、
前記圧電素子部は、
前記単一の振動膜の上に設けられる下部電極と、
前記下部電極の少なくとも一部を覆うように設けられる圧電体膜と、
前記圧電体膜の少なくとも一部を覆うように設けられる上部電極とを有することを特徴とする超音波トランスデューサーデバイス。
【請求項１１】
請求項１０に記載の超音波トランスデューサーデバイスにおいて、
前記第１の方向に沿って配線されるコモン電極線と、
前記第２の方向に沿って配線される第１の信号電極線〜第ｎの信号電極線とを有し、
前記第１の超音波トランスデューサー素子〜前記第ｎの超音波トランスデューサー素子の各超音波トランスデューサー素子の前記上部電極及び前記下部電極の一方は、前記コモン電極線に接続され、
前記第１の超音波トランスデューサー素子〜前記第ｎの超音波トランスデューサー素子のうちの第ｊ（ｊは１≦ｊ≦ｎである整数）の超音波トランスデューサー素子の前記上部電極及び前記下部電極の他方は、前記第１の信号電極線〜前記第ｎの信号電極線のうちの第ｊの信号電極線に接続されることを特徴とする超音波トランスデューサーデバイス。
【請求項１２】
請求項１１に記載の超音波トランスデューサーデバイスにおいて、
前記第１の超音波トランスデューサー素子〜前記第ｎの超音波トランスデューサー素子の各超音波トランスデューサー素子が、平面視において、前記矩形の形状を有する場合に、
前記第ｊの超音波トランスデューサー素子の前記上部電極及び前記下部電極の一方は、前記矩形の端辺部において前記コモン電極に接続され、
前記第ｊの超音波トランスデューサー素子の前記上部電極及び前記下部電極の他方は、前記矩形の頂点部において前記第ｊの信号電極線に接続されることを特徴とする超音波トランスデューサーデバイス。
【請求項１３】
請求項１乃至１２のいずれかに記載の超音波トランスデューサーデバイスを含むことを特徴とする超音波測定装置。
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
高周波磁場パルスの照射に応じて被検体から発生する核磁気共鳴信号を複素信号として計測する計測部と、
前記複素信号から各画素の値が複素数である複素画像を再構成する画像再構成部と、
前記複素画像を磁化率画像に変換する画像変換部と、
前記磁化率画像を表示装置に表示する表示処理部と、を有し、
前記画像変換部は、
前記複素画像から位相画像を生成する位相画像生成部と、
前記位相画像から重み画像を算出する重み画像算出部と、
前記位相画像と前記重み画像とから前記磁化率画像を算出する磁化率画像算出部と、を備えること
を特徴とする磁気共鳴イメージング装置。
【請求項２】
請求項１記載の磁気共鳴イメージング装置であって、
前記重み画像算出部は、
前記位相画像から位相ばらつきの大きさを画素値とする位相ばらつき画像を算出する位相ばらつき画像算出部と、
前記位相ばらつき画像を前記重み画像に変換する重み画像変換部と、を備えること
を特徴とする磁気共鳴イメージング装置。
【請求項３】
請求項２記載の磁気共鳴イメージング装置であって、
前記重み画像算出部は、前記位相ばらつきを計算するために用いる領域を計算領域として設定する領域設定部をさらに備えること
を特徴とする磁気共鳴イメージング装置。
【請求項４】
請求項３記載の磁気共鳴イメージング装置であって、
前記領域設定部は、分解能に応じて前記計算領域の大きさを変化させることを特徴とする磁気共鳴イメージング装置。
【請求項５】
請求項４記載の磁気共鳴イメージング装置であって、
前記領域設定部は、スライス方向の分解能が、予め定めた閾値より小さい場合は、立方体の領域を前記計算領域と設定し、前記スライス方向の分解能が、当該閾値以上の場合は、スライス面内の正方形の領域を前記計算領域と設定すること
を特徴とする磁気共鳴イメージング装置。
【請求項６】
請求項３記載の磁気共鳴イメージング装置であって、
前記位相ばらつき画像算出部は、前記位相画像の、前記計算領域内の画素値の標準偏差または分散を、前記位相ばらつきとすること
を特徴とする磁気共鳴イメージング装置。
【請求項７】
請求項３記載の磁気共鳴イメージング装置であって、
前記位相ばらつき画像算出部は、前記位相画像の、前記計算領域内の画素値の比重付きの標準偏差または分散を前記位相ばらつきとすること
を特徴とする磁気共鳴イメージング装置。
【請求項８】
請求項７記載の磁気共鳴イメージング装置であって、
前記比重は、前記位相ばらつきを算出する画素からの距離に応じて設定されること
を特徴とする磁気共鳴イメージング装置。
【請求項９】
請求項２記載の磁気共鳴イメージング装置であって、
前記重み画像変換部は、前記重み画像の各画素値を、前記位相ばらつきの増加に対し、広義単調減少するよう決定すること
を特徴とする磁気共鳴イメージング装置。
【請求項１０】
請求項９記載の磁気共鳴イメージング装置であって、
前記重み画像変換部は、予め定めた定数から前記位相ばらつきを減算した値を前記画素値とすること
を特徴とする磁気共鳴イメージング装置。
【請求項１１】
請求項９記載の磁気共鳴イメージング装置であって、
前記重み画像変換部は、予め定めた定数を前記位相ばらつきで除算した値を前記画素値とすること
を特徴とする磁気共鳴イメージング装置。
【請求項１２】
請求項９記載の磁気共鳴イメージング装置であって、
前記重み画像変換部は、前記位相ばらつきが予め定めた閾値より小さい画素の前記画素値を予め定めた定数とし、前記位相ばらつきが当該閾値以上の画素の前記画素値を０とすること
を特徴とする磁気共鳴イメージング装置。
【請求項１３】
請求項１から１２のいずれか１項記載の磁気共鳴イメージング装置であって、
前記重み画像算出部は、前記位相画像から位相成分複素画像を算出する位相成分複素画像算出部をさらに備え、前記位相画像から算出した前記位相成分複素画像から、前記重み画像を算出すること
を特徴とする磁気共鳴イメージング装置。
【請求項１４】
複素画像を磁化率画像に変換する画像変換部と、
前記磁化率画像を表示装置に表示する表示処理部と、を備え、
前記画像変換部は、
前記複素画像から位相画像を生成する位相画像生成部と、
前記位相画像から重み画像を算出する重み画像算出部と、
前記位相画像と前記重み画像とから前記磁化率画像を算出する磁化率画像算出部と、を備え、
前記複素画像は、高周波磁場パルスの照射に応じて被検体から発生する核磁気共鳴信号から再構成された画像であること
を特徴とする画像処理装置。
【請求項１５】
高周波磁場パルスの照射に応じて被検体から発生する核磁気共鳴信号を収集し、再構成することにより得た複素画像から、位相画像を生成し、
前記位相画像から重み画像を算出し、
前記位相画像と前記重み画像とから磁化率画像を算出すること
を特徴とする磁化率画像算出方法。
【手続補正２】
【補正対象書類名】明細書
【補正対象項目名】００２０
【補正方法】変更
【補正の内容】
【００２０】
以下、本実施形態を、図１（ｂ）に示す水平磁場ＭＲＩ装置１０１を用いる場合を例にあげて説明する。また、以下、本実施形態では、ＭＲＩ装置１０１の静磁場方向をｚ方向、それに垂直な２方向のうち、測定対象の被検体を載置するベッド面に平行な方向をｘ方向、他方向をｙ方向とする座標系を用いる。また、以下静磁場を単に磁場とも呼ぶ。
【手続補正３】
【補正対象書類名】明細書
【補正対象項目名】００８５
【補正方法】変更
【補正の内容】
【００８５】
比重ｇ（ｋj）は、任意の値に設定できる。例えば、位相ばらつきを算出する画素（ボクセルｊ）からの距離に応じて設定してもよい。具体的には、該当ボクセルｊとｋjの距離ｒ（ｋj）を用いて、ｇ（ｋj）＝１／ｒ（ｋj）と定義してもよい。このとき、該当ボクセルｊに距離が近いボクセルの寄与を大きくし、遠いボクセルの寄与を小さくした標準偏差が算出される。これにより、例えば、画像の各方向で分解能の大きさが異なる場合に、分解能の大きさの違いを考慮した位相ばらつきを算出することができる。
【手続補正４】
【補正対象書類名】明細書
【補正対象項目名】００９３
【補正方法】変更
【補正の内容】
【００９３】
＜磁化率画像算出処理＞
次に、本実施形態の磁化率画像算出部５４０による磁化率画像算出処理を説明する。ここでは、図１０に示す、磁化率画像算出処理の処理フローに従って説明する。
【手続補正５】
【補正対象書類名】明細書
【補正対象項目名】０１０２
【補正方法】変更
【補正の内容】
【０１０２】
＜従来手法との比較結果＞
図１１（ａ）〜図１１（ｆ）に、磁化率変化が大きいためにＳＮが低下している領域における、絶対値画像９１１、位相画像９２１、従来の重み画像９１２、その重み画像９１２から算出される磁化率画像９１３、本実施形態で算出される重み画像９２２、および、磁化率画像９２３の概略図を示す。矢印９００は、静磁場方向である。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
水道水の流入側となる流入端と水道水流出側となる流出端とが定められた部材本体に対し、前記流入端に開口する流入口と前記流出端に開口する流出口とをつなぐ流路が貫通形態に形成されるとともに、前記流路の途中位置に前記流入口よりも流通断面積が小さい絞り部が形成され、該絞り部にて前記流路の軸断面を３以上のセグメント領域に区画する形態で、当該絞り部の流路断面積をさらに減少させる衝突部が配置され、
前記部材本体の前記流入端に水道水圧力で供給された水道水の流れを前記衝突部に衝突させた後、各前記セグメント領域に分配しつつ増速して通過させ、その減圧効果により溶解した気体を析出させて気泡含有水道水となし、前記流出口から流出させるようにした気泡発生機構において、
前記絞り部の断面中心部に向けて突出する複数の前記衝突部の３又は４のものの先端部同士の間に、断面周囲流に対し相対的に高速となる断面中心流を通過させるための高速流ギャップが形成され、
前記衝突部の先端部には先端に向かうほど軸断面を縮小させる錐状部が形成されてなり、前記セグメント領域を挟んで互いに隣接する２つの前記衝突部において前記錐状部の外周面間に、前記高速流ギャップを構成するスリット部が形成されている気泡発生機構。
【請求項２】
複数の前記衝突部の少なくとも１対のものが、前記絞り部の断面中心を挟んで内径方向に対向する形で配置され、それら衝突部の先端間に中心ギャップが形成され、該中心ギャップに前記スリット部が連通して前記高速流ギャップが構成される請求項１に記載の気泡発生機構。
【請求項３】
前記衝突部は、各々その突出方向が前記絞り部の軸断面にて互いに直交する十字形態に設けられ、それら衝突部により前記絞り部が４つの前記絞りセグメント領域に分割されてなる請求項１又は請求項２に記載の気泡発生機構。
【手続補正書】
【提出日】平成28年8月1日(2016.8.1)
【手続補正１】
【補正対象書類名】明細書
【補正対象項目名】００３１
【補正方法】変更
【補正の内容】
【００３１】
なお、レベル決定工程では、総ピクセル数に対する一方値のピクセル数の割合を算出する手法に代えて、二値化画像に基づくマハラノビスの距離の算出を行い、マハラノビスの距離と所定の閾値とを比較してバリの存在レベルを決定してもよい。この場合、バリの存在レベルが「１」である場合の二値化画像について判定用単位空間を予め算出し、この判定用単位空間に対するマハラノビスの距離を算出する。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
遊技球の流下による遊技を実現する遊技領域を表面に画定する遊技盤と、
該遊技盤を保持する遊技機枠と、
前記遊技機枠の下方に配置されるとともに、前記遊技盤の前面側で前記遊技球を貯留するための球皿と、
前記球皿の後方に配置され、前記遊技球を流出口を経由して前記発射位置に１球ずつ供給する整流器と、
前記流出口の後方に配置され、該球皿から発射位置に送り出された前記遊技球を前記遊技領域に向けて発射する発射ユニットと、
前記流出口の近傍に配置された不正行為不能化手段と、を有し、
前記整流器は、
前記流出口を介して前記遊技球を前記発射位置に供給するための球送り部材と、を有し、
前記不正行為不能化手段は、
前記流出口の近傍に配置された１つの間隙を有し、その間隙が該流出口側で開口し、糸が連結された遊技球が前記発射ユニットによって発射されると前記間隙に導かれるようになっており、
更に、前記間隙と別体に設けられるとともに、前記間隙に導びかれた前記糸と前期遊技球とを分離する分離部材を有する、遊技機。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
水分拭き取り材を保持可能なヘッドと、
前記ヘッドが設けられたアームと、
前記アームを軸線回りに回転させるアーム回転駆動部と、
を備える臀部の水分自動ふき取り装置において、
前記ヘッドは、前記軸線に対して直交する方向に形成されている、
ことを特徴とする臀部の水分自動ふき取り装置。
【請求項２】
水分拭き取り材を保持可能なヘッドと、
前記ヘッドが設けられたアームと、
前記アームを軸線回りに回転させるアーム回転駆動部と、
を備える臀部の水分自動ふき取り装置において、
前記アームは、前記軸線上に設けられた第１アーム部と、前記第１アーム部の一部から、前記軸線に直交する方向に延びた第２アーム部と、を有しており、
前記ヘッドは、前記第２アーム部に設けられている、
ことを特徴とする臀部の水分自動ふき取り装置。
【手続補正書】
【提出日】平成28年1月15日(2016.1.15)
【手続補正１】
【補正対象書類名】明細書
【補正対象項目名】００１６
【補正方法】変更
【補正の内容】
【００１６】
解決手段４記載の遊技機によれば、棚部材の後方に表示手段を配置するとともに棚部材の一部に後方に配置する表示手段と重複する被覆部を形成する。また、演出手段を駆動制御しないときには表示手段と重複することなく演出手段の一部を視認可能にする第二の動作位置に駆動制御する一方、演出手段を駆動制御するときには棚部材の被覆部内であって演出手段の一部が表示手段と重複する第一の動作位置に駆動制御するため、図柄情報の変動表示にて常に演出手段の駆動状態を意識させることができるとともに、演出手段が駆動されて第一の駆動位置に駆動制御されたときに駆動状態の変化を把握させやすくなり、遊技興趣の低下を抑止できる。すなわち、通常の遊技においては表示手段に特定表示結果が導出表示されることによって遊技者に所定の利益が付与されるため、遊技者は表示手段で実行される図柄情報の変動表示に注目して遊技を行う。そのため、枠状装飾部材外側の遊技領域に演出手段を配置して表示手段と離れた位置で演出手段を駆動した場合にはその駆動を気付かせられない虞があるが、演出手段を駆動したときに表示手段と重複する第一の動作位置に駆動制御することによって確実に演出手段が駆動されたことを把握させることができるとともに、遊技機の装飾性を向上させることが可能である。また、透明な部材によって形成される棚部材の一部を隆起させて表示手段の一部を覆う被覆部を設けるため、被覆部によって後方に位置する表示手段の視認を妨げない。すなわち、棚部材の一部に形成される被覆部も透明な部材で形成するため、表示手段を被覆している部分の視認を妨げないようにすることができ、遊技機の装飾性を好適に向上させることができる。
（解決手段５）
遊技球が転動可能な遊技領域が形成される遊技盤と、
前記遊技盤の開口部の開口縁に沿って設けられる枠状部材と、
遊技球が転動可能であって前記枠状部材に設けられたステージ部と、
前記ステージ部の後方に設けられ、所定の態様で可動する演出手段と、
前記遊技盤の前記開口部から視認可能に設けられた表示手段の制御を行う表示制御手段と、
を備え、
前記演出手段は、前記ステージ部の後側に位置する待機状態から前記表示手段の前側に位置する移動状態に変化可能であり、
該演出手段には、前記移動状態である際に前記表示手段の表示内容を視認可能とする視認可能部位が設けられ、
前記表示制御手段は、
前記演出手段が前記移動状態に位置すると、前記視認可能部位に対応する表示領域に特定の画像を表示するとともに、前記視認可能部位に対応しない表示領域には前記特定の画像とは異なる画像を表示する特別表示手段を備えたことを特徴とする遊技機。
【手続補正２】
【補正対象書類名】特許請求の範囲
【補正対象項目名】全文
【補正方法】変更
【補正の内容】
【特許請求の範囲】
【請求項１】
遊技球が転動可能な遊技領域が形成される遊技盤と、
前記遊技盤の開口部の開口縁に沿って設けられる枠状部材と、
遊技球が転動可能であって前記枠状部材に設けられたステージ部と、
前記ステージ部の後方に設けられ、所定の態様で可動する演出手段と、
前記遊技盤の前記開口部から視認可能に設けられた表示手段の制御を行う表示制御手段と、
を備え、
前記演出手段は、前記ステージ部の後側に位置する待機状態から前記表示手段の前側に位置する移動状態に変化可能であり、
該演出手段には、前記移動状態である際に前記表示手段の表示内容を視認可能とする視認可能部位が設けられ、
前記表示制御手段は、
前記演出手段が前記移動状態に位置すると、前記視認可能部位に対応する表示領域に特定の画像を表示するとともに、前記視認可能部位に対応しない表示領域には前記特定の画像とは異なる画像を表示する特別表示手段を備えたことを特徴とする遊技機。
【手続補正書】
【提出日】平成28年9月23日(2016.9.23)
【手続補正１】
【補正対象書類名】明細書
【補正対象項目名】００１５
【補正方法】変更
【補正の内容】
【００１５】
脱水管１１は、外筒３に沿った有底の円筒形状をなし、外筒３の内部に正逆回転自在に配設される。この脱水管１１は、その円筒周壁に、複数の開口部１１ｂを備え、固定治具８の側の解放端の側に脱水管蓋部１１ａを着脱自在に備える。脱水管蓋部１１ａは、外筒３の蓋部７に連結されており、蓋部７を外筒３から取り外すときに、併せて脱水管蓋部１１ａも脱水管１１から取り外すことができる。よって、脱水管蓋部１１ａが固定治具８にて蓋部７と共に取り外された状態で、脱水管１１には被処理物が投入可能となり、脱水管１１は、被処理物が投入された状態で処理装置本体１に収納され、後述の水蒸気供給機器群２００により、外筒３の内部において、被処理物と共に亜臨界雰囲気下に置かれる。脱水管１１の内部には、ピストン１２が配設されており、このピストン１２は、ピストン外周壁と脱水管内周壁のキーとキー溝等により脱水管１１と係合された上、脱水管１１の円筒の内面に沿って摺動（スライド）自在とされている。そして、シャフト１０が、フランジ部３ａおよび脱水管１１の底部を貫通して、このピストン１２に連結されている。外筒３および脱水管１１は、その長手方向が水平であり、この長手方向に平行なシャフト１０の長手方向が重力に対してほぼ垂直になる横型に設置されており、外筒３の内部においては、重力に従った下側の円筒部分が外筒３の底部となる。
【手続補正２】
【補正対象書類名】明細書
【補正対象項目名】００３０
【補正方法】変更
【補正の内容】
【００３０】
次に、図２に示すように、取り出し工程を行う（ステップＳＴ８）。脱気工程から取り出し工程への推移は、制御装置１１０の計測した経過時間、或いは図示しないセンサーにて計測した処理装置本体１の内圧（大気圧化）、図示しないセンサーにて計測した貯留タンク２の処理水水位（＝ゼロ）等に応じてなされる。図１０は取り出し工程における水熱処理装置１００の駆動の様子を模式的に示す説明図である。この取り出し工程においては、制御装置１１０は、固定治具８による蓋部７の固定解除制御と、回転スライド機構９の駆動制御によるシャフト１０の後退スライドとを行う。この両制御は、同時並行的になされてもよく、順次実行されてもよい。固定治具８の固定解除制御により、外筒３からの蓋部７の取り外しと、脱水管１１からの脱水管蓋部１１ａの取り外しがなされるので、圧縮脱水と遠心脱水を受けた有機性汚泥３１の脱水ケーキが脱水管１１から取り出される。この有機性汚泥３１の脱水ケーキは、焼却処分又は埋め立て処理がされる。また、シャフト１０の後退スライドにより、ピストン１２は、図に示す原位置に復帰するので、次回の水熱処理に備え、脱水管１１へは新たに処理される有機性汚泥３１の投入が可能となる。上記した脱水管蓋部１１ａの取り外し後の脱水ケーキの取り出しの際、制御装置１１０の制御下で回転スライド機構９によりシャフト１０を前進スライドさせ、ピストン１２にて脱水ケーキを脱水管１１の開口端側に押し出すことができる。こうすれば、脱水ケーキの取り出しが容易となる。そして、この押出のための前進スライドを行った後、後退スライドによりピストン１２を原位置に復帰させればよい。なお、制御装置１１０は、開閉バルブ４ａ等の各種バルブを全て閉状態に駆動制御し、次回の亜臨界処理工程の開始に備える。
【手続補正３】
【補正対象書類名】明細書
【補正対象項目名】００４０
【補正方法】変更
【補正の内容】
【００４０】
上記した本実施形態の水熱処理装置１００では、貯留タンク昇圧工程（ステップＳＴ３）において、貯留タンク２を加圧して処理装置本体１と等圧化を図ったが、亜臨界処理工程（ステップＳＴ１）の際に、貯留タンク２を処理装置本体１と等圧にしてもよい。つまり、亜臨界処理工程（ステップＳＴ１）の際に、排液管６の開閉バルブ２３を開放し、ドレン管２４の開閉バルブ２４ａと給排気管２１の開閉バルブ２１ａとを閉鎖しておき、水蒸気供給機器群２００から処理装置本体１に導入される亜臨界状態の水蒸気の一部を予め貯留タンク２に導入する。その上で、処理装置本体１での水熱処理のための回転スライド機構９の駆動前に、開閉バルブ２３を閉鎖する。こうすれば、水蒸気供給機器群２００から給排気管２１に到る管路を用いなくても、貯留タンク２を処理装置本体１と等圧化できる。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
遊技媒体を用いた遊技における演出に際して表示する演出画像を成形するための画像成形情報に基づいた該演出画像の描画指示を行う画像描画指示手段と、
前記画像成形情報に基づいて前記演出画像の描画制御を行う描画制御手段と、
前記描画制御手段によって描画制御された演出画像を表示する表示手段と、を備え、
前記画像描画指示手段は、
前記表示手段に順次表示される演出画像を成形するための画像成形情報を順次生成し、該順次生成した画像成形情報を前記描画制御手段に順次送信し、
前記描画制御手段は、
前記画像描画指示手段から送信された画像成形情報を記憶する第１の記憶手段と、
前記第１の記憶手段に記憶された画像成形情報を転送する転送制御手段と、
前記転送制御手段によって転送される画像成形情報を記憶する第２の記憶手段と、
前記第２の記憶手段に記憶された画像成形情報に基づいて演出画像の描画制御を行う画像描画制御手段と、
前記画像描画制御手段により描画制御された演出画像を交互に記憶する第１の画像記憶領域及び第２の画像記憶領域を有する第３の記憶手段と、
前記第１の画像記憶領域に記憶された演出画像と前記第２の画像記憶領域に記憶された演出画像とを交互に前記表示手段に出力する出力手段と、を有し、
前記画像描画指示手段は、
先に生成した画像成形情報に基づく演出画像の前記表示手段への出力が完了する以前に、次の画像成形情報を生成して前記画像制御手段に送信し、
前記転送制御手段は、
前記第１の記憶手段から先に転送した画像成形情報に基づく演出画像の前記表示手段への出力が完了する以前に、前記第１の記憶手段から次の画像成形情報を転送し、
前記描画制御手段は、
前記画像描画制御手段による前記演出画像の描画制御が終了した場合に、該描画制御が終了した旨の描画完了情報を前記画像描画指示手段に送信すると共に、所定時間経過する毎に時間割込信号を該画像描画指示手段に送信する信号送信手段をさらに備え、
前記画像描画指示手段は、
前記描画完了情報を受信した状態で、前記描画制御手段から前記時間割込信号を受信すると、前記表示手段に出力される演出画像の切り替えを指示することを特徴とする遊技機。
【手続補正２】
【補正対象書類名】明細書
【補正対象項目名】０００９
【補正方法】変更
【補正の内容】
【０００９】
しかしながら、このような従来の遊技機は、迅速な描画制御処理を行うことが困難となっていた。
【手続補正３】
【補正対象書類名】明細書
【補正対象項目名】００１１
【補正方法】変更
【補正の内容】
【００１１】
上記目的を達成するため、請求項１に記載の遊技機は、遊技媒体を用いた遊技における演出に際して表示する演出画像を成形するための画像成形情報に基づいた該演出画像の描画指示を行う画像描画指示手段と、前記画像成形情報に基づいて前記演出画像の描画制御を行う描画制御手段と、前記描画制御手段によって描画制御された演出画像を表示する表示手段と、を備え、前記画像描画指示手段は、前記表示手段に順次表示される演出画像を成形するための画像成形情報を順次生成し、該順次生成した画像成形情報を前記描画制御手段に順次送信し、前記描画制御手段は、前記画像描画指示手段から送信された画像成形情報を記憶する第１の記憶手段と、前記第１の記憶手段に記憶された画像成形情報を転送する転送制御手段と、前記転送制御手段によって転送される画像成形情報を記憶する第２の記憶手段と、前記第２の記憶手段に記憶された画像成形情報に基づいて演出画像の描画制御を行う画像描画制御手段と、前記画像描画制御手段により描画制御された演出画像を交互に記憶する第１の画像記憶領域及び第２の画像記憶領域を有する第３の記憶手段と、前記第１の画像記憶領域に記憶された演出画像と前記第２の画像記憶領域に記憶された演出画像とを交互に前記表示手段に出力する出力手段と、を有し、前記画像描画指示手段は、先に生成した画像成形情報に基づく演出画像の前記表示手段への出力が完了する以前に、次の画像成形情報を生成して前記画像制御手段に送信し、前記転送制御手段は、前記第１の記憶手段から先に転送した画像成形情報に基づく演出画像の前記表示手段への出力が完了する以前に、前記第１の記憶手段から次の画像成形情報を転送し、前記描画制御手段は、前記画像描画制御手段による前記演出画像の描画制御が終了した場合に、該描画制御が終了した旨の描画完了情報を前記画像描画指示手段に送信すると共に、所定時間経過する毎に時間割込信号を該画像描画指示手段に送信する信号送信手段をさらに備え、前記画像描画指示手段は、前記描画完了情報を受信した状態で、前記描画制御手段から前記時間割込信号を受信すると、前記表示手段に出力される演出画像の切り替えを指示することを特徴とする。
【手続補正４】
【補正対象書類名】明細書
【補正対象項目名】００１２
【補正方法】削除
【補正の内容】
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
紙で臀部を拭き取るための拭き取りアームと、
前記拭き取りアームを駆動させる拭き取りアーム駆動部と、
便座と便器との間に設けられた嵩上げ部とを備え、
前記拭き取りアーム駆動部は、前記嵩上げ部に設けられたくり抜き部分から前記拭き取りアームを露出して、拭き取り動作を行うことを特徴とする、臀部拭き取り装置。
【請求項２】
前記くり抜き部分を閉じるための閉手段をさらに備えることを特徴とする、請求項１に記載の臀部拭き取り装置。
【請求項３】
紙で臀部を拭き取るための拭き取りアームと、
前記拭き取りアームを駆動させる拭き取りアーム駆動部と、
便座を嵩上げするための嵩上げ部とを備え、
前記拭き取りアーム駆動部は、前記嵩上げ部によって得られる前記便座と便器との間隙から前記拭き取りアームを露出して、拭き取り動作を行うことを特徴とする、臀部拭き取り装置。
【手続補正２】
【補正対象書類名】明細書
【補正対象項目名】０００５
【補正方法】変更
【補正の内容】
【０００５】
本発明は、紙で臀部を拭き取るための拭き取りアームと、拭き取りアームを駆動させる拭き取りアーム駆動部と、便座と便器との間に設けられた嵩上げ部とを備え、拭き取りアーム駆動部は、嵩上げ部に設けられたくり抜き部分から拭き取りアームを露出して、拭き取り動作を行うことを特徴とする。
【手続補正３】
【補正対象書類名】明細書
【補正対象項目名】０００６
【補正方法】変更
【補正の内容】
【０００６】
好ましくは、くり抜き部分を閉じるための閉手段をさらに備えるとよい。また、本発明は、紙で臀部を拭き取るための拭き取りアームと、拭き取りアームを駆動させる拭き取りアーム駆動部と、便座を嵩上げするための嵩上げ部とを備え、拭き取りアーム駆動部は、嵩上げ部によって得られる便座と便器との間隙から拭き取りアームを露出して、拭き取り動作を行うことを特徴とする。
【手続補正４】
【補正対象書類名】明細書
【補正対象項目名】０００７
【補正方法】変更
【補正の内容】
【０００７】
本発明によれば、嵩上げ部や嵩高い便座を用いて、便座と便器との間隙を形成し、そこから、拭き取りアームを挿入して臀部を拭き取るようにする。したがって、コストを抑えつつ、便器上面と便座との間に間隙を設ける簡易な手段が提供されることとなる。また、閉手段を設けることによって、水分等がくり抜き部分や本体等に侵入して故障や汚れ、不衛生の原因となることを防止することができる。